(57)【要約】【課題】治療情報管理システムにおいて、治療に係る経過観察のために行なわれる検査によって生成される画像情報を取得・表示する際のオペレータの作業性を軽減すること。【解決手段】患者識別情報及び治療部位情報と、放射線治療の経過を観察するための検査の予定時情報を含む検査オーダ情報を発行する検査オーダ情報発行部１１ｇと、検査オーダ情報に従った検査要求に対する検査の実施時情報を、検査オーダ情報に加入するＤＢ管理部１１ａと、検査オーダ情報を記憶するオーダ情報ＤＢ１１Ｂと、オーダ情報ＤＢ１１Ｂに記憶されている検査オーダ情報の中から所要の患者識別情報及び所要の治療部位情報を含む検査オーダ情報を取得するオーダ情報取得部１１ｊと、オーダ情報取得部１１ｊによって取得される検査オーダ情報に含まれる検査の予定時情報又は実施時情報を基に、オーダ情報取得部１１ｊによって取得される検査オーダ情報を時系列に並べて表示する表示装置１１Ｄとを有する。【選択図】  図１
2013016204.tif 000002
【特許請求の範囲】
【請求項１】
患者識別情報に該当する患者に対する治療部位情報及び治療期間情報を設定することで、前記患者識別情報、前記治療部位情報及び前記治療期間情報に従う治療プラン識別情報を設定する手段と、
前記治療プラン識別情報と、前記治療期間情報の範囲内における放射線治療の予定時情報とを含む治療オーダ情報を記録する手段と、
前記治療オーダ情報に従った治療要求に対する治療の実施時情報を、前記治療オーダ情報に含ませる手段と、
前記患者識別情報及び前記治療部位情報と、前記放射線治療の経過を観察するための検査の予定時情報を含む検査オーダ情報を記録する手段と、
前記検査オーダ情報に従った検査要求に対する検査の実施時情報を、前記検査オーダ情報に含ませる手段と、
前記治療オーダ情報及び前記検査オーダ情報を記憶する記憶手段と、
前記記憶手段に記憶されている前記治療オーダ情報の中から所要の患者識別情報及び所要の治療プラン識別情報を含む治療オーダ情報を取得すると共に、前記記憶手段に記憶されている前記検査オーダ情報の中から前記所要の患者識別情報及び所要の治療部位情報を含む検査オーダ情報を取得する取得手段と、
前記取得手段によって取得される前記治療オーダ情報に含まれる治療の予定時情報又は実施時情報、及び、前記取得手段によって取得される前記検査オーダ情報に対応する画像情報を取得する手段と、
前記取得手段によって取得される前記治療オーダ情報に含まれる検査の予定時情報又は実施時情報を基に、前記取得手段によって取得される前記治療オーダ情報及び前記検査オーダ情報を時系列に並べて表示させ、且つ、当該検査オーダ情報に対応する前記画像情報の関連情報を表示させる表示手段と、
を有することを特徴とする治療情報管理システム。
【請求項２】
前記検査オーダ情報は、Ｘ線ＣＴ装置、ＭＲＩ装置、Ｘ線診断装置、超音波診断装置及びＮＭ装置のうち少なくとも１つを用いる検査に関する情報であることを特徴とする請求項１に記載の治療情報管理システム。
【請求項３】
前記表示手段は、前記治療オーダ情報に前記治療の予定時情報及び実施時情報が共に含まれる場合は前記治療の実施時情報に、前記検査オーダ情報に検査の予定時情報及び実施時情報が共に含まれる場合は前記検査の実施時情報にそれぞれ基づいて、前記取得手段によって取得される前記検査オーダ情報、又は、前記治療オーダ情報及び前記検査オーダ情報を時系列に並べて表示させることを特徴とする請求項１又は２に記載の治療情報管理システム。
【請求項４】
ＨＩＳ（ｈｏｓｐｉｔａｌ  ｉｎｆｏｒｍａｔｉｏｎ  ｓｙｓｔｅｍ）によって設定される前記患者識別情報を、当該ＨＩＳより受信する手段をさらに有することを特徴とする請求項１乃至３のうちいずれか一項に記載の治療情報管理システム。
【発明の詳細な説明】
【技術分野】
【０００１】
本発明は、治療情報を管理する技術に係り、特に、治療期間情報の範囲内の治療に加え、治療期間情報の範囲内外の治療経過を観察するための検査を実施してその情報を管理する治療情報管理システムに関する。
【背景技術】
【０００２】
近年、コンピュータの処理速度が向上し、医療の分野において、Ｘ線ＣＴ（ｃｏｍｐｕｔｅｄ  ｔｏｍｏｇｒａｐｈｙ）装置、ＭＲＩ（ｍａｇｎｅｔｉｃ  ｒｅｓｏｎａｎｃｅ  ｉｍａｇｉｎｇ）装置、Ｘ線診断装置、超音波診断装置、ＮＭ（ｎｕｃｌｅａｒ  ｍｅｄｉｃｉｎｅ）装置等の種々の画像診断用のモダリティが出現するに至っている。
【０００３】
このように、種々のモダリティが出現するに至ったことに伴い、形成される画像情報も多様化している。生成される画像情報等はそれぞれを比較して診断が行なわれるものであるため、病院等の医療機関内で共通に管理される。
【０００４】
医療機関内で取扱われるデータを、各機器や各装置間でやりとりするネットワークとして、例えば、ＨＩＳ（ｈｏｓｐｉｔａｌ  ｉｎｆｏｒｍａｔｉｏｎ  ｓｙｓｔｅｍ）、ＲＩＳ（ｒａｄｉｏｌｏｇｙ  ｉｎｆｏｒｍａｔｉｏｎ  ｓｙｓｔｅｍ）及びＰＡＣＳ（ｐｉｃｔｕｒｅ  ａｒｃｈｉｖｉｎｇ  ａｎｄ  ｃｏｍｍｕｎｉｃａｔｉｏｎ  ｓｙｓｔｅｍ）等が形成されるようになっている。
【０００５】
なお、本発明に関連する文献として、以下の文献が挙げられる。
【先行技術文献】
【特許文献】
【０００６】
【特許文献１】特開２００８−６５６８８号公報
【発明の概要】
【発明が解決しようとする課題】
【０００７】
個々の放射線治療の治療オーダ情報の発行が治療プラン情報の設定後に治療プラン情報に準じて行なわれるので、ＲＩＳが有する従来のアプリケーションでは、治療オーダを識別する治療オーダＩＤ等を基に治療プラン情報と治療オーダ情報との関連付けを行なうことができる。一方、治療期間情報の範囲内外の治療経過を観察するための検査（診断）の検査オーダ情報（放射線治療計画(シミュレーション)オーダ情報）の発行が治療プラン情報の設定とは別個独立（例えば、治療プラン情報の設定前）に行なわれるので、ＲＩＳが有する従来のアプリケーションでは、治療プラン情報と検査オーダ情報との関連付けを行なうことがでないという欠点がある。
【０００８】
よって、当該放射線治療における治療経過の観察として検査オーダ情報に従った検査によって生成される治療前、治療中及び治療後の画像情報を参照するためには、治療医等のオペレータがＰＡＣＳにアクセスして、該当患者に係る大量の画像情報の中から目的の画像情報を目視で選択する必要がある。したがって、治療経過の観察に必要な画像情報を参照する手順が煩雑になっている。
【０００９】
本発明は、このような事情を考慮してなされたもので、治療に係る経過観察のために行なわれる検査によって生成される画像情報を取得・表示する際のオペレータの作業性を軽減することができる治療情報管理システムを提供することを目的とする。
【課題を解決するための手段】
【００１０】
本発明に係る治療情報管理システムは、上述した課題を解決するために、患者識別情報に該当する患者に対する治療部位情報及び治療期間情報を設定することで、前記患者識別情報、前記治療部位情報及び前記治療期間情報に従う治療プラン識別情報を設定する手段と、前記治療プラン識別情報と、前記治療期間情報の範囲内における放射線治療の予定時情報とを含む治療オーダ情報を記録する手段と、前記治療オーダ情報に従った治療要求に対する治療の実施時情報を、前記治療オーダ情報に含ませる手段と、前記患者識別情報及び前記治療部位情報と、前記放射線治療の経過を観察するための検査の予定時情報を含む検査オーダ情報を記録する手段と、前記検査オーダ情報に従った検査要求に対する検査の実施時情報を、前記検査オーダ情報に含ませる手段と、前記治療オーダ情報及び前記検査オーダ情報を記憶する記憶手段と、前記記憶手段に記憶されている前記治療オーダ情報の中から所要の患者識別情報及び所要の治療プラン識別情報を含む治療オーダ情報を取得すると共に、前記記憶手段に記憶されている前記検査オーダ情報の中から前記所要の患者識別情報及び所要の治療部位情報を含む検査オーダ情報を取得する取得手段と、前記取得手段によって取得される前記治療オーダ情報に含まれる治療の予定時情報又は実施時情報、及び、前記取得手段によって取得される前記検査オーダ情報に対応する画像情報を取得する手段と、前記取得手段によって取得される前記治療オーダ情報に含まれる検査の予定時情報又は実施時情報を基に、前記取得手段によって取得される前記治療オーダ情報及び前記検査オーダ情報を時系列に並べて表示させ、且つ、当該検査オーダ情報に対応する前記画像情報の関連情報を表示させる表示手段と、を有する。
【図面の簡単な説明】
【００１１】
【図１】本実施形態の治療情報管理システムと、その周辺システムとを示す概略図。
【図２】治療プラン情報と、治療期間情報の範囲内における個々の治療オーダ情報との関係の一例を示す図。
【図３】治療プラン情報の一例をテーブルとして示す図。
【図４】（ａ）は、治療の実施前の治療オーダ情報の一例をテーブルとして示す図、（ｂ）は、治療の実施後の治療オーダ情報の一例をテーブルとして示す図。
【図５】（ａ）は、検査の実施前の検査オーダ情報の一例をテーブルとして示す図、（ｂ）は、検査の実施後の検査オーダ情報の一例をテーブルとして示す図。
【図６】個々の治療オーダ情報と、個々の検査オーダ情報との関係の一例を時系列で示す図。
【図７】患者ＩＤ及び治療プラン情報を指定入力するための画面の一例を示す図。
【図８】指定入力される患者ＩＤ及び治療プラン情報に基づく治療オーダ情報及び検査オーダ情報を表示するための画面の一例を示す図。
【発明を実施するための形態】
【００１２】
本発明に係る治療情報管理システムの実施形態について、添付図面を参照して説明する。
【００１３】
図１は、本実施形態の治療情報管理システムと、その周辺システムとを示す概略図である。
【００１４】
図１は、ＨＩＳ１０、本実施形態の治療情報管理システム（例えば、ＲＩＳ）１１、放射線治療装置１２、検査装置（モダリティ）１３及びＰＡＣＳ１４を示す。ＲＩＳ１１は、ＨＩＳ１０、放射線治療装置１２、検査装置（モダリティ）１３及びＰＡＣＳ１４とそれぞれ病院基幹のＬＡＮ（ｌｏｃａｌ  ａｒｅａ  ｎｅｔｗｏｒｋ）等のネットワークによって相互接続されている。
【００１５】
ＨＩＳ１０は、多数の患者の受付（総合受付）を行なうとともに、内科や外科等の担当診療科への受付の処理、患者識別情報（患者ＩＤ（ｉｄｅｎｔｉｆｉｃａｔｉｏｎ）、氏名、性別、年齢、住所、来院履歴及び治療状況等）の管理、診療費の会計処理を行なっている。
【００１６】
放射線治療装置１２としては、コンピュータ制御されるコバルト照射装置（γ線）、ガンマナイフ（γ線）、リニアック（Ｘ線、電子線）、ノバリス（Ｘ線）及びサイバーナイフ（Ｘ線）等の装置が挙げられる。放射線治療装置１２は、ＲＩＳ１１からの治療要求に従って、患者に治療部位に対して放射線治療を施すと共に、治療の実施時情報等の治療情報をＲＩＳ１１に送信する。なお、患者の治療部位に対して施す治療は放射線治療に限定されるものではなく、例えば、超音波治療等であってもよい。
【００１７】
検査装置１３としては、コンピュータ制御されるＸ線ＣＴ装置、ＭＲＩ装置、Ｘ線診断装置、超音波診断装置及びＮＭ装置等が挙げられる。検査装置１３は、ＲＩＳ１１からの検査要求に従って、治療部位に関する画像情報を生成すると共に、検査の実施時情報等の検査情報をＲＩＳ１１に、画像情報をＰＡＣＳ１４にそれぞれ送信する。
【００１８】
ＰＡＣＳ１４は、検査装置１３によって生成される画像情報を保有する画像情報ＤＢ（ｄａｔａ  ｂａｓｅ）１４Ａを備える。また、ＰＡＣＳ１４は、図示しないＣＰＵ（ｃｅｎｔｒａｌ  ｐｒｏｃｅｓｓｉｎｇ  ｕｎｉｔ）がプログラムを実行することによって、画像情報ＤＢ管理部１４ａとして機能する。
【００１９】
画像情報ＤＢ管理部１４ａは、検査装置１３からの記録要求に従って、検査装置１３によって生成される画像情報の画像情報ＤＢ１４Ａへの記録処理を行なう機能と、ＲＩＳ１１からの読出要求に従って、画像情報ＤＢ１４Ａからの画像情報の読出処理を行なう機能とを有する。
【００２０】
ＲＩＳ１１は、図示しないＤＢサーバの端末と図示しないクライアントの端末とがＬＡＮ等のネットワークによって相互接続されている。ＲＩＳ１１のＤＢサーバの端末は、後述する治療プラン情報を保有する治療プラン情報ＤＢ１１Ａと、後述するオーダ情報（治療オーダ情報及び検査オーダ情報）を保有するオーダ情報ＤＢ１１Ｂを備える。一方、クライアントの端末は、入力装置１１Ｃ及び表示装置１１Ｄを備える。なお、図１には、便宜上、入力装置１１Ｃを３つ示している。
【００２１】
また、ＲＩＳ１１は、ＨＩＳ１０、放射線治療装置１２、検査装置１３及びＰＡＣＳ１４等とオンラインで連携して、ＨＩＳ１０から受信する患者識別情報を基にオーダ情報を発行する機能を有する。さらに、ＲＩＳ１１は、オーダ情報としての治療オーダ情報を基に放射線治療装置１２による放射線治療の予約、受付及び治療結果の管理等を行なう一方、オーダ情報としての検査オーダ情報を基に検査装置１３による検査予約、検査受付、検査結果の管理等を行なう。また、ＲＩＳ１１は、ＰＡＣＳ１４によって管理される画像情報の表示要求を行なう機能を有する。
【００２２】
具体的には、ＲＩＳ１１のＤＢサーバの端末は、その端末に備える図示しないＣＰＵがプログラムを実行することによって、ＤＢ管理部１１ａとして機能する。
【００２３】
ＤＢ管理部１１ａは、クライアントの端末からの要求に従って、後述する治療プラン情報の治療プラン情報ＤＢ１１Ａへの記録や治療プラン情報ＤＢ１１Ａからの治療プラン情報の読出処理を行なう機能と、クライアントの端末からの要求に従って、オーダ情報のオーダ情報ＤＢ１１Ｂへの記録・更新処理やオーダ情報ＤＢ１１Ｂからのオーダ情報の読出処理を行なう機能とを有する。
【００２４】
また、ＲＩＳ１１のクライアントの端末は、その端末に備える図示しないＣＰＵがプログラムを実行することによって、患者識別情報取得部１１ｂ、治療プラン情報設定部１１ｃ、治療オーダ情報発行部１１ｄ、治療要求部１１ｅ、治療情報取得部１１ｆ、検査オーダ情報発行部１１ｇ、検査要求部１１ｈ、検査情報取得部１１ｉ、オーダ情報取得部１１ｊ及び画像情報要求・取得部１１ｋとして機能する。なお、各部１１ｂ乃至１１ｋは、１つの端末で機能するものであってもよいし、多数の端末で分担して機能するものであってもよい。
【００２５】
患者識別情報取得部１１ｂは、治療プラン情報設定部１１ｃによって治療プラン情報を設定するために、ＨＩＳ１０から患者識別情報、例えば患者ＩＤを取得する機能と、検査オーダ情報発行部１１ｇによって検査オーダ情報を発行するために、ＨＩＳ１０から患者ＩＤを取得する機能とを有する。
【００２６】
治療プラン情報設定部１１ｃは、患者識別情報取得部１１ｂによって取得される患者ＩＤに該当する患者に対する治療部位（治療名又は放射線照射部位等）情報及び治療期間情報を設定することで、患者ＩＤ、治療部位情報及び治療期間情報を含む治療プラン情報を設定する機能と、設定される治療プラン情報を治療プラン情報ＤＢ１１Ａに記録するようにＤＢ管理部１１ａに指示する機能とを有する。なお、患者識別情報、治療部位情報及び治療期間情報のうち１つでも異なる治療プラン情報には、異なる治療プラン識別情報、例えば治療プランＩＤが付される。また、治療プラン情報には、放射線の総線量［ｃＧｙ］の情報等をさらに含んでもよい。
【００２７】
治療オーダ情報発行部１１ｄは、治療プラン情報の設定後に治療プラン情報に準じるように、治療プラン情報設定部１１ｃによって設定される患者ＩＤ、治療プランＩＤ及び治療部位情報と、入力装置１１Ｃによって入力される種別及び治療期間情報の範囲内における個々の治療の予定時情報とを含む治療オーダ情報を発行する機能と、発行される治療オーダ情報をオーダ情報ＤＢ１１Ｂに記録するようにＤＢ管理部１１ａに指示する機能とを有する。なお、治療オーダ情報には、治療依頼先の放射線治療装置１２の情報等をさらに含んでもよい。
【００２８】
図２は、治療プラン情報と、治療期間情報の範囲内における個々の治療オーダ情報との関係の一例を示す図である。
【００２９】
図２に示すように、治療プラン情報（治療期間：２００７．７．２〜２００７．７．６）に対して、治療オーダ情報発行部１１ｄによって、その治療期間情報の範囲内に５回の治療が予定されている。なお、図３は、治療プラン情報の一例をテーブルとして示す図であり、図４（ａ）は、治療の実施前の治療オーダ情報の一例をテーブルとして示す図である。治療オーダ情報の発行は治療プラン情報の設定後に治療プラン情報に準じて行なわれるので、治療オーダ情報には、図４（ａ）に示すように治療プランＩＤが含まれている。
【００３０】
また、図１に示す治療要求部１１ｅは、放射線治療装置１２に、治療オーダ情報発行部１１ｄによって発行される治療オーダ情報に従って、患者の治療部位について治療を要求する機能を有する。
【００３１】
治療情報取得部１１ｆは、治療オーダ情報に従った患者の治療部位について治療が実施されると、放射線治療装置１２から治療の実施時情報等の治療情報を取得する機能と、取得される治療の実施時情報を、オーダ情報ＤＢ１１Ｂに記憶される治療オーダ情報に加入するようにＤＢ管理部１１ａに指示する機能とを有する。なお、図４（ｂ）は、治療の実施後の治療オーダ情報、すなわち、治療の実施時情報の加入後における治療オーダ情報の一例をテーブルとして示す図である。図４（ａ）に示すテーブルでは、治療の予定時情報は含まれている一方、未だ治療は実施されていないので、治療の実施時情報は含まれていない。一方、図４（ｂ）に示すテーブルでは、治療の予定時情報が含まれていると共に、治療情報取得部１１ｆによって取得される治療の実施時情報が加入されているので、治療の実施時情報も含まれている（例えば、図４（ｂ）では、治療の予定日と実施日とが一致している。）。
【００３２】
また、図１に示す検査オーダ情報発行部１１ｇは、治療プラン情報の設定とは別個独立に、患者識別情報取得部１１ｂによって取得される患者ＩＤと、入力装置１１Ｃによって入力される検査部位情報（治療部位情報）、種別及び個々の検査の予定時情報とを含む検査オーダ情報を発行する機能と、発行される検査オーダ情報をオーダ情報ＤＢ１１Ｂに記録するようにＤＢ管理部１１ａに指示する機能とを有する。なお、検査オーダ情報には、検査依頼先の検査装置１３の情報等をさらに含んでもよい。図５（ａ）は、検査の実施前の検査オーダ情報の一例をテーブルとして示す図である。検査オーダ情報の発行は治療プラン情報の設定とは別個独立に行なわれる場合が多いので、検査オーダ情報には、図５（ａ）に示すように治療プランＩＤが不明である。しかし、検査オーダ情報の発行が治療プラン情報の設定後に治療プラン情報に準じて行なわれる場合は、治療オーダ情報と同様に検査オーダ情報に治療プランＩＤが含まれてもよい。
【００３３】
例えば、治療プラン情報設定部１１ｃによる治療プラン情報の設定前に、検査オーダ情報が発行される場合がある。
【００３４】
図６は、個々の治療オーダ情報と、個々の検査オーダ情報との関係の一例を時系列で示す図である。
【００３５】
図６に示すように、治療プラン情報（治療期間：２００７．７．２〜２００７．７．６）には、その治療期間情報の範囲内に５つの治療オーダ情報に基づく５回の治療が予定（実施）されている。また、治療前、治療中及び治療後にそれぞれ１回ずつ検査オーダ情報が挿入され、３回の検査が予定（実施）されている。なお、治療前、治療中及び治療後にそれぞれ挿入される検査オーダ情報は、１回ずつに限定されるものではなく、複数回であってもよい。
【００３６】
また、図１に示す検査要求部１１ｈは、検査装置１３に、検査オーダ情報発行部１１ｇによって発行される検査オーダ情報に従って、患者の治療部位について検査を要求する機能を有する。
【００３７】
検査情報取得部１１ｉは、検査オーダ情報に従った患者の治療部位について検査が実施されると、検査装置１３から検査の実施時情報等の検査情報を取得する機能と、取得される検査の実施時情報を、オーダ情報ＤＢ１１Ｂに記憶される検査オーダ情報に加入するようにＤＢ管理部１１ａに指示する機能とを有する。なお、図５（ｂ）は、検査の実施後の検査オーダ情報、すなわち、検査の実施時情報の加入後における検査オーダ情報の一例をテーブルとして示す図である。図５（ａ）に示すテーブルでは、検査の予定時情報は含まれている一方、未だ検査は実施されていないので、検査の実施時情報は含まれていない。一方、図５（ｂ）に示すテーブルでは、検査の予定時情報が含まれていると共に、検査情報取得部１１ｉによって取得される検査の実施時情報が加入されているので、検査の実施時情報も含まれている（例えば、図５（ｂ）では、検査の予定日と実施日とが一致していない。）。
【００３８】
また、図１に示すオーダ情報取得部１１ｊは、入力装置１１Ｃを介して所望の患者ＩＤ及び治療プラン情報の指定入力が実行されると、ＤＢとして記憶されている治療オーダ情報の中から、指定入力される患者ＩＤ及び治療プラン情報を含む治療オーダ情報を取得するようにＤＢ管理部１１ａに指示する機能を有する。
【００３９】
図７は、患者ＩＤ及び治療プラン情報を指定入力するための画面の一例を示す図である。
【００４０】
オペレータは、表示装置１１Ｄを介して図７に示すように表示される画面の入力ボックス（図７に示す画面の左上）に、入力装置１１Ｃを用いて患者ＩＤ『ＡＢ１２３４』を入力して『検索』をクリックする。そのクリックによって、オーダ情報取得部１１ｊは、オーダ情報ＤＢ１１Ｂから患者ＩＤ『ＡＢ１２３４』と、種別『治療』とを共に含む治療オーダ情報を取得するようにＤＢ管理部１１ａに指示する。そして、オーダ情報取得部１１ｊは、取得される治療オーダ情報に含まれる治療プラン情報を全て表示装置１１Ｄを介して表示する（図７に示す画面の右上）。例えば、図７では、患者ＩＤ『ＡＢ１２３４』であり、治療プランＩＤ『ＸＹ９８７』、『ＸＹ７８６』に係る２つの治療プラン情報を表示する場合を示している。
【００４１】
また、オペレータは、表示装置１１Ｄを介して図７に示すように表示される画面上のプルダウンメニューから、入力装置１１Ｃを用いて２つの治療プラン情報のうち１つの治療プラン情報を選択する。１つの治療プラン情報、例えば治療プランＩＤ『ＸＹ９８７６』が選択されると、オーダ情報取得部１１ｊは、治療プランＩＤ『ＸＹ９８７６』を含む治療オーダ情報を取得する。また、全ての治療プラン情報を表示してもよい。
【００４２】
一方、１つの治療プラン情報、例えば治療プランＩＤ『ＸＹ９８７６』が選択されると、オーダ情報取得部１１ｊは、オーダ情報ＤＢ１１Ｂから患者ＩＤ『ＡＢ１２３４』と、治療部位情報『下咽頭』と、種別『検査』とを共に含む検査オーダ情報を取得するようにＤＢ管理部１１ａに指示する。
【００４３】
表示装置１１Ｄは、オーダ情報取得部１１ｊによって取得される異なる情報である治療オーダ情報及び検査オーダ情報を、治療オーダ情報に含まれる治療の予定時情報又は実施時情報、及び、検査オーダ情報に含まれる検査の予定時情報又は実施時情報を基に、時系列に並べて表示する。
【００４４】
図８は、指定入力される患者ＩＤ及び治療プラン情報に基づく治療オーダ情報及び検査オーダ情報を表示するための画面の一例を示す図である。
【００４５】
図８に示すように、５回の治療の予定（実施）に対して、３回の検査の予定（実施）が加入されて表示されている。ここで、第１の検査オーダ情報に基づく第１の検査は、治療期間以前に予定（実施）されているので、『治療前検査』と表示されてもよい。第２の検査オーダ情報に基づく第２の検査は、治療期間情報の範囲内に予定（実施）されているので、『治療中検査』と表示されてもよい。また、第３の検査オーダ情報に基づく第３の検査は、治療期間以後に予定（実施）されているので、『治療後検査』と表示されてもよい。
【００４６】
図８に示すように、オーダ情報取得部１１ｊによって取得される治療オーダ情報及び検査オーダ情報を時系列に並べて表示することで、各検査が治療前検査なのか、治療中検査なのか、又は、治療後検査なのかについて容易に識別できる。
【００４７】
なお、図８の画面の最右上に示すように、治療オーダ情報及び検査オーダ情報の表示が表示時『２００７．７．３，１８：００』に行なわれているので、表示時以前の治療及び検査は『実施』されている一方、表示時以後の治療及び検査は『予定』されているままである。よって、表示時以前の治療に関する治療オーダ情報（図８中の第１及び第２の治療）には、予定時情報及び実施時情報が共に含まれているが、その場合、実施時情報を基に時系列表示を行なうものとする。同様に、表示時以前の検査に関する検査オーダ情報（図８中の第１及び第２の検査）には、予定時情報及び実施時情報が共に含まれているが、その場合、実施時情報を基に時系列表示を行なうものとする。
【００４８】
また、図１に示す画像情報要求・取得部１１ｋは、オーダ情報取得部１１ｊによって取得される検査オーダ情報に対応する画像情報をＰＡＣＳ１４に要求して取得する機能と、取得される画像情報を表示装置１１Ｄを介して表示する機能とを有する。具体的には、オペレータは、入力装置１１Ｃを用いて、図８に示す画面上に並べられる検査オーダ情報の位置に設けられる『ビューア』をクリックする。よって、本実施形態では、ＰＡＣＳ１４から、所望の患者ＩＤに係る全ての検査オーダ情報に対応する画像情報を取得するのではなく、オーダ情報取得部１１ｊによって取得される所望の患者ＩＤ及び治療部位情報に係る検査オーダ情報に対応する画像情報のみを取得できるので、取得後の画像情報の選別の手間が省ける。
【００４９】
本実施形態の治療情報管理システム１１によると、従来のＤＢを利用して表示側のアプリケーションを変更するのみで、治療オーダ情報を参照する際、多数の画像情報の中から当該治療に係る経過観察のために行なわれる検査によって生成される画像情報を正確に効率よく取得・表示することができる。よって、本実施形態の治療情報管理システム１１によると、治療に係る経過観察のために行なわれる検査によって生成される画像情報を取得・表示する際のオペレータの作業性を軽減することができる。
【符号の説明】
【００５０】
１０  ＨＩＳ
１１  ＲＩＳ
１１Ａ  治療プラン情報ＤＢ
１１Ｂ  オーダ情報ＤＢ
１１ａ  ＤＢ管理部
１１ｂ  患者識別情報取得部
１１ｃ  治療プラン情報設定部
１１ｄ  治療オーダ情報発行部
１１ｅ  治療要求部
１１ｆ  治療情報取得部
１１ｇ  検査オーダ情報発行部
１１ｈ  検査要求部
１１ｉ  検査情報取得部
１１ｊ  オーダ情報取得部
１１ｋ  画像情報要求・取得部
１２  放射線治療装置
１３  検査装置
１４  ＰＡＣＳ
【図１】
2013016204.tif 000003
【図２】
2013016204.tif 000004
【図３】
2013016204.tif 000005
【図４】
2013016204.tif 000006
【図５】
2013016204.tif 000007
【図６】
2013016204.tif 000008
【図７】
2013016204.tif 000009
【図８】
2013016204.tif 000010